(57)【特許請求の範囲】
【請求項１】
容器の口部に装着して容器を密栓する容器のキャップであって、
容器の口部を封止するキャップの封止部は指を掛けるプルリングを備えているとともに、封止部の周囲はプルリングの引き上げにより切除されるスコア部となっており、
上記キャップの封止部は、容器の外方に向かって膨出状の薄肉部である
ことを特徴とする容器のキャップ。
【請求項２】
キャップの外方に向かって膨出状の封止部は、容器内の減圧により容器の内方に向かって膨らみが反転するように構成されていることを特徴とする請求項１記載の容器のキャップ。
【請求項３】
容器のキャップは、容器の口部に被せて打ち込んで容器を密栓する打栓構造であることを特徴とする請求項１または２記載の容器のキャップ。
【発明の詳細な説明】
【技術分野】
【０００１】
本発明は、内容物を充填した容器の口部に装着して容器を密栓する容器のキャップに関するものである。
【背景技術】
【０００２】
加熱した内容物を充填した後密栓して冷却する容器にあっては、冷却により容器内が減圧するので、容器内の減圧により容器全体の変形歪みを防止するため、容器の一部に減圧対応部分を設けたり、あるいは容器の口部を予め膨らみをもたせたダイヤフラムで封止して減圧によりその膨らみを反転させる構成とするもの（実開平５−３５７１２号公報、特開平１０−７２０５６号公報参照）や、容器の口部を反転部となるインナーパーツで封止したもの（特開２０００−１０３４５９公報参照）などが知られている。
【０００３】
また、容器を容易に開封するため、容器の口部を封止するキャップの封止部に指を掛けるプルリングを備えたプルトップキャップについては、特開平１０−２３６５１２号公報、特開２００４−６７２１５公報、実開昭６２−２５６５８号公報、実開昭６３−７６６３号公報、実開平７−２１５６１号公報に記載されている。
【特許文献１】実開平５−３５７１２号公報
【特許文献２】特開平１０−７２０５６号公報
【特許文献３】特開２０００−１０３４５９公報
【特許文献４】特開平１０−２３６５１２号公報
【特許文献５】特開２００４−６７２１５公報
【特許文献６】実開昭６２−２５６５８号公報
【特許文献７】実開昭６３−７６６３号公報
【特許文献８】実開平７−２１５６１号公報
【発明の開示】
【発明が解決しようとする課題】
【０００４】
前掲の実開平５−３５７１２号公報、特開平１０−７２０５６号公報にそれぞれ記載されている減圧対応の容器にあっては、容器の口部を封止しているダイヤフラムあるいはインナーパーツを剥がして開封するものであるから、容器の開封にあたっては指先が容器の口部に触れて衛生的でないばかりでなく、ダイヤフラムやインナーパーツを剥がすのが必ずしも容易ではないのが実情である。
【０００５】
そこで、本発明は、容器の口部を封止するキャップの封止部は指を掛けるプルリングを備えていて、しかもキャップの封止部を容器の外方に向かって膨出状の薄肉部とした構成とすることにより、容器内の減圧に対応して容器に変形歪みを生じさせず、しかも開封が手軽に衛生的にできる容器のキャップを提供することを目的とするものである。
【課題を解決するための手段】
【０００６】
上記目的を達成するための本発明の請求項１に係る容器のキャップは、容器の口部に装着して容器を密栓する容器のキャップであって、容器の口部を封止するキャップの封止部は指を掛けるプルリングを備えているとともに、封止部の周囲はプルリングの引き上げにより切除されるスコア部となっており、上記キャップの封止部は、容器の外方に向かって膨出状の薄肉部であることを特徴とするものである。
【０００７】
また、本発明の請求項２に係る容器のキャップは、請求項１記載の構成において、キャップの外方に向かって膨出状の封止部は、容器内の減圧により容器の内方に向かって膨らみが反転するように構成されていることを特徴とするものである。
【０００８】
また、本発明の請求項３に係る容器のキャップは、請求項１または２記載の構成において、容器のキャップは、容器の口部に被せて打ち込んで容器を密栓する打栓構造であることを特徴とするものである。
【発明の効果】
【０００９】
本発明によれば、容器の口部を封止するキャップの封止部は指を掛けるプルリングを備えていて、しかもキャップの封止部を容器の外方に向かって膨出状の薄肉部とした構成としたことにより、容器内の減圧に対応して容器に変形歪みを生じさせず、しかも開封が手軽に衛生的にできる容器のキャップが得られるものである。
【発明を実施するための最良の形態】
【００１０】
図１は本発明の一実施の形態に係る容器のキャップの断面図、図２は同上減圧対応により封止部が内方に反転した状態を示す断面図である。また、図３は本発明の他の実施の形態に係る容器のキャップの断面図、図４は本発明のさらに他の実施の形態に係る容器のキャップの断面図である。
【００１１】
図１および図２に示すように、本発明に係る容器のキャップ１は、キャップ本体２とヒンジ３により開閉自在の蓋体４とで構成されており、キャップ本体２は、容器の口部（図示せず）に被せて打ち込んで密栓する打栓構造となっている。５は打栓構造部である。なお、キャップ本体２は容器の口部に対するネジ構造であってもよい。
【００１２】
キャップ本体２には、容器の口部を封止するキャップの封止部６を有しており、封止部６はその周囲がスコア部７によって囲まれていて、スコア部７の外周は硬い縁取部８となっている。封止部６にはその上部一端に指を掛けるプルリング９を備えている。封止部６の周囲を囲むスコア部７はプルリング９の引き上げにより容易に切除される部分である。封止部６は、容器の外方に向かって膨出状の薄肉部であり、可逆反転可能な可撓性と弾性とを有している。容器の外方に向かって膨出状の封止部６は、容器内の減圧により容器の内方に向かって膨らみが反転する（図２参照）。１０は指掛け部であって蓋体４を開く際に指先を掛ける突起である。
【００１３】
図３または図４にはそれぞれ本発明の他の実施の形態が示されている。図３に示すものは封止部６の形状を波状輪を描くように緩い段構造にしてあって、容器内の減圧により封止部６が反転しやすいようにしてある。図４に示すものは封止部６をさらに大きい段構造にしてある。なお、図３および図４に示すもののその他の構成は図１に示すものと同等であるから、同構成部分には同符号を付してある。
【００１４】
容器のキャップ１は熱可塑性樹脂の成形により構成されるが、その熱可塑性樹脂としては、スチレン−ブタジエン−スチレンブロックコポリマー、スチレン−エチレン−ブチレン−スチレンブロックコポリマー等の熱可塑性エラストマー、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂、ポリエチレンテレフタート樹脂、ナイロン−６、ナイロン−６，６などのポリアミド系樹脂、またはエチレン−酢酸ビニル共重合ケン化物などのバリア性を有する樹脂などを用いることができる。
【００１５】
本発明に係る容器のキャップ１は、容器に加熱した内容物を充填して容器の口部に装着して容器を密栓する。容器内の内容物は外部からの強制冷却または自然放熱により体積が減少して内容物の充填時より容器内が減圧するが、容器のキャップ１には容器の外方に向かって膨出状の薄肉部からなる封止部６が設けられているので、容器内の減圧に対応して封止部６が容器の内方に向かって反転し、減圧分が吸収される。このため、容器内の減圧によっても容器に変形歪みが生じない。
【００１６】
そして、上記減圧に対応して反転する封止部６には指を掛けるプルリング９を備えているので、プルリング９に指を掛けて引き上げるだけで手軽にしかも衛生的に容器を開封することができる。
【図面の簡単な説明】
【００１７】
【図１】本発明の一実施の形態に係る容器のキャップの断面図である。
【図２】同上減圧対応により封止部が内方に反転した状態を示す断面図である。
【図３】本発明の他の実施の形態に係る容器のキャップの断面図である。
【図４】本発明のさらに他の実施の形態に係る容器のキャップの断面図である。
【符号の説明】
【００１８】
１  容器のキャップ
２  キャップ本体
３  ヒンジ
４  蓋体
５  打栓構造部
６  封止部
７  スコア部
８  縁取部
９  プルリング
１０  指掛け部
【図１】
0004612487.tif 000002
【図２】
0004612487.tif 000003
【図３】
0004612487.tif 000004
【図４】
0004612487.tif 000005